【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
接地ドレイン共通ソースの高出力無線周波増幅回路であって、
上面を有する熱伝導性フランジと、平坦な下面を有する半導体トランジスタのダイと、を含む高出力、高電圧の大型チップ・トランジスタであって、ドレインが前記下面の主要部分の上に形成され、ソース及びゲートが前記下面から離れた前記ダイの上に形成され、前記ドレインが前記フランジと熱的及び電気的に直接接触する、高出力、高電圧の大型チップ・トランジスタと、
前記ソースに結合される出力回路と、
入力端子と前記ゲートとの間で接続される直流絶縁入力段であって、前記ドレインに対して浮いており、前記入力端子に接続された１次巻線と、前記ゲート及び前記ソース間で結合された絶縁２次巻線と、を含む絶縁変圧器を有する、直流絶縁入力段と、を備える高出力無線周波増幅回路。
【請求項２】
前記出力回路が、所定の無線周波数帯の無線周波信号を通過させる直流阻止出力段を含む請求項１に記載の高出力無線周波増幅回路。
【請求項３】
前記ソースを直流電圧電源に結合する無線周波阻止直流給電段を、更に備える請求項２に記載の高出力無線周波増幅回路。
【請求項４】
前記無線周波阻止直流給電段が、前記ソースを通過する無線周波信号をバイパスする無線周波シャント手段を含む請求項３に記載の高出力無線周波増幅回路。
【請求項５】
前記直流絶縁入力段が、前記２次巻線の前記ゲートへの接続部と、前記ゲートとの間を接続する低い値の抵抗を含む請求項１に記載の高出力無線周波増幅回路。
【請求項６】
前記半導体ダイが、前記ソースと前記ゲートとの間の入力インピーダンスを有し、前記抵抗が、前記入力インピーダンスより小さい抵抗値を有する請求項５に記載の高出力無線周波増幅回路。
【請求項７】
前記２次巻線の前記ゲートへの接続部と、前記ドレインとの間で接続されるドレイン−ゲート帰還回路、を更に含む請求項１に記載の高出力無線周波増幅回路。
【請求項８】
前記ドレイン−ゲート帰還回路が直列に接続された抵抗及びコンデンサを含む請求項７に記載の高出力無線周波増幅回路。
【請求項９】
前記ソースと前記ゲートとの間に接続される、抵抗値を有するゲート−ソース帰還抵抗を更に備え、
そして、前記半導体トランジスタのダイは、前記ソースと前記ゲートとの間の入力インピーダンスを有し、前記抵抗値は、前記入力インピーダンスよりも大きい、請求項１に記載の高出力無線周波増幅回路。
【請求項１０】
前記直流絶縁入力段は、前記ゲートと前記ソースとの間に直列に接続される、コンデンサと抵抗とを有するゲート−ソース終端回路を含む請求項１に記載の高出力無線周波増幅回路。
【請求項１１】
所定の周波数帯の無線周波電力を増幅するプッシュプル形の高出力無線周波増幅器であって、
第１及び第２のキロワット電力トランジスタ素子であって、前記素子の各々は、
熱及び電気伝導性フランジと、
４つの半導体ダイから形成される複数チップ・アレーであって、前記半導体ダイの各々が平坦な下面を有し、ドレインが前記平担な下面の大部分の上に形成され、ソース及びゲートが、前記平坦な下面から離れた前記ダイの部分にそれぞれ形成される、複数チップ・アレーと、
前記フランジが前記ダイの共通ドレイン端子及び前記ダイのヒートシンクの役目を果たすように、前記ダイの前記ドレインを前記フランジと熱的及び電気的に直接接触するように配置する設置手段と、を含み、
そして、前記キロワット電力トランジスタ素子の各々の前記４つのダイは、外部にて並列配置され、かつ、ゲート−ソースしきい値が０．２ボルト以内で、前記ドレイン−ソースのオン抵抗が８％以内で、順方向相互コンダクタンスが１ジーメンス以内になるように直流整合される、第１及び第２のキロワット電力トランジスタ素子と、
前記無線周波入力端子に結合する第１のスプリッタ手段であって、無線周波入力ドライブ信号を順方向相部分と逆方向相部分とに分割する第１のスプリッタ手段と、
前記第１のキロワット電力トランジスタ素子の前記ゲートに供給するために、前記順方向相部分を複数の絶縁信号に分割する第２のスプリッタ手段と、
前記第２のキロワット電力トランジスタ素子の前記ゲートに供給するために、前記逆方向相部分を複数の絶縁信号に分割する第３のスプリッタ手段と、
前記第１のキロワット電力トランジスタ素子の前記半導体ダイの各々のために、前記第２のスプリッタ手段の関連する出力に無線周波結合され、かつ前記第１のキロワット電力トランジスタ素子の前記フランジに対して浮いているゲート−ソース入力回路と、
前記第２のキロワット電力トランジスタ素子の前記半導体ダイの各々のために、前記第３のスプリッタ手段の関連する出力に無線周波結合され、かつ前記第２のキロワット電力トランジスタ素子の前記フランジに対して浮いているゲート−ソース入力回路と、
増幅無線周波信号を無線周波出力端子に供給するために、増幅無線周波出力を結合するための前記第１及び第２のキロワット電力トランジスタ素子の前記ソースに結合された入力を有する結合器手段と、
直流電圧電源と、
前記電源からの前記増幅無線周波信号を阻止するため、及び無線周波エネルギーをバイパスさせるために、前記第１及び第２のキロワット電力トランジスタ素子の前記ソースを前記電源に接続するフィルタ手段と、を備える高出力無線周波増幅器。
【請求項１２】
前記キロワット電力トランジスタ素子の各々の前記４つのダイは、１つの半導体ウェハ上の隣接するウェハ位置から選択される請求項１１に記載の高出力無線周波増幅器。
【請求項１３】
前記ダイの１つから他のダイへの温度及び電流のトラッキングのために、前記キロワット電力トランジスタ素子の前記４つのダイは、１つの半導体ウェハ上の隣接するウェハ位置から選択される、請求項１１に記載の高出力無線周波増幅器。
【請求項１４】
前記第１のキロワット電力トランジスタ素子の平均無線周波利得が、前記第２のキロワット電力トランジスタ素子の平均無線周波利得の０．５ｄＢ以内である請求項１３に記載の高出力無線周波増幅器。
【請求項１５】
前記第１のキロワット電力トランジスタ素子の平均無線周波利得が、前記第２のキロワット電力トランジスタ素子の平均無線周波利得の１％以内である請求項１３に記載の高出力無線周波増幅器。
【請求項１６】
前記第１のスプリッタ手段が、前記第２のスプリッタ手段及び前記第１のキロワット電力トランジスタ素子に直接結合され、かつ前記第３のスプリッタ手段及び第２のキロワット電力トランジスタ素子に誘導結合され、そして前記第１のキロワット電力トランジスタ素子が、前記第２のキロワット電力トランジスタ素子より高い平均ゲートしきい値を有する請求項１１に記載の高出力無線周波増幅器。
【請求項１７】
前記第１のキロワット電力トランジスタ素子の前記平均ゲートしきい値が、前記第２のキロワット電力トランジスタ素子の平均ゲートしきい値より０．２〜０．４ボルト高い請求項１６に記載の高出力無線周波増幅器。
【請求項１８】
前記キロワット電力トランジスタ素子の各々の前記ダイが、各々１〜２オームのそれぞれの直列ゲート入力抵抗を有する請求項１１に記載の高出力無線周波増幅器。
【請求項１９】
前記キロワット電力トランジスタ素子の各々の前記ダイが、各々ゲート−ソース間の入力無線周波終端手段を有し、前記入力無線周波終端手段が、抵抗−コンデンサの直列組合せを含む請求項１１に記載の高出力無線周波増幅器。
【請求項２０】
前記キロワット電力トランジスタ素子の各々の前記ダイが、各々ソース−ゲート間の直流終端抵抗を有し、前記直流終端抵抗が、３０〜４０キロオームの値を有する請求項１１に記載の高出力無線周波増幅器。
【請求項２１】
前記キロワット電力トランジスタ素子の各々の前記ダイが、各々それぞれのドレイン−ゲート間の無線周波帰還回路を有し、前記無線周波帰還回路は、４００〜５６０オームの抵抗値を有する抵抗−コンデンサの直列組合せを含む請求項１１に記載の高出力無線周波増幅器。
【請求項２２】
前記ダイの各々の前記ソースが、前記結合器手段と並列に直接結合される請求項１１に記載の高出力無線周波増幅器。
【請求項２３】
前記結合器手段が、１８オームのインタフェース・インピーダンスを有する出力平衡不平衡変成器を含む請求項２２に記載の高出力無線周波増幅器。
【請求項２４】
前記キロワット電力トランジスタ素子の各々のために、各前記キロワット電力トランジスタ素子の前記ダイの結合ソース−ドレイン間の出力静電容量を動的に補償する共振手段を更に備え、前記共振手段が、共振循環無線周波電流を流れ込ませる前記ソースと接地との間の直列インダクタ−コンデンサの組合せを含む請求項１１に記載の高出力無線周波増幅器。
【請求項２５】
前記キロワット電力トランジスタ素子の各々のために、直流給電手段が、前記電源と前記電源に付随する前記キロワット電力トランジスタ素子のソースとの間の直列インダクタを含む各インダクタ−コンデンサの組合せを含み、かつ無線周波コンデンサと低周波数バイパス・コンデンサとの並列組合せを含む請求項１１に記載の高出力無線周波増幅器。
【請求項２６】
前記出力平衡不平衡変成器のインピーダンスが、１つの単一３：５巻線比変成器または１組の２：３巻線比変成器によって、１．２５：１未満のＶＳＷＲ内で、１８オームから５０オームに整合される請求項２３に記載の高出力無線周波増幅器。
【請求項２７】
高調波歪みを低減し散逸高調波終端を提供するために、前記結合器手段と前記無線周波出力端子との間に配置される低域通過／高域通過のダイプレクサ手段を更に備える請求項１１に記載の高出力無線周波増幅器。